(57)【要約】【課題】保管場所も不要で、迅速に防水扉の開閉が可能とする。【解決手段】出入口１の両側に立設された左右一対のサイドスタンド２と、上下複数段に分割された分割扉１１〜１４からなる防水扉７と、サイドスタンド２の対向面にそれぞれ形成されて上端部が開放され分割扉１１〜１４の両端部が挿脱可能な開閉ガイド溝３と、開閉ガイド溝３内で分割扉１１〜１４を上下方向に直列に並べて防水扉７を形成し出入口１を閉鎖する使用位置と、出入口１の上方の収納部９で分割扉１１〜１４を重ねて収納する収納位置との間で、前記分割扉１１〜１４を主従ワイヤロープ８Ａ，８Ｂを介して昇降駆動する扉開閉装置５とを具備した。【選択図】　　　　図１
2004076406.tif 000002
【特許請求の範囲】
【請求項１】
出入口の両側に立設された左右一対の支柱体と、
上下複数段に分割された分割扉からなる防水扉と、
前記支柱体の対向面にそれぞれ形成されて前記分割扉の両端部を上方から挿脱可能な開閉ガイド部と、
前記開閉ガイド部内で分割扉を上下方向に直列に並べて防水扉を形成し出入口を閉鎖する使用位置と、出入口の上方の収納部で前記分割扉を重ねて収納する収納位置との間で、前記分割扉をそれぞれ昇降駆動して出入口を開閉する扉開閉装置とを具備した
ことを特徴とする昇降式防水扉装置。
【請求項２】
分割扉に、前面板と、前面板の上辺部および下辺部の一方に形成されて隣接する前面板が係合される重ね部と、上下に隣接する分割扉を互いに連結して使用位置以上の離間を規制する連結索とを設け、
最上段の分割扉に、開閉ガイド部に設けられた係止部に下降を規制されるストッパを設け、
最下段の分割扉が、扉開閉装置の水道水圧式の扉開閉シリンダにより押し引き駆動される索体に吊持された
ことを特徴とする請求項１記載の昇降式防水扉装置。
【請求項３】
各分割扉の両側縁部と下辺部にシール部材を設けるとともに、出入口の床面に受圧部材を設け、
支柱体に、使用位置の分割扉を加圧して前記シール部材を圧縮し、分割扉間および分割扉の周辺部をシールする扉固定装置を設けた
ことを特徴とする請求項１または２記載の昇降式防水扉装置。
【請求項４】
扉開閉装置に、重ねられた分割扉を水平姿勢として格納部に収納する扉回動収納機構を設けた
ことを特徴とする請求項１乃至３のいずれかに記載の昇降式防水扉装置。
【発明の詳細な説明】
【０００１】
【発明の属する技術分野】
本発明は、建物や構造物の入口、地下駐車場やエレベータ装置の入口に設置され、高潮や洪水などオーバーフローによる浸水を防止する昇降式防水扉装置に関する。
【０００２】
【従来の技術】
たとえば集中豪雨などで河川が氾濫し道路などに冠水した水は、構造物の入口などを通って構造物内、特に地下施設に流入し、浸水する。
【０００３】
このため、緊急の浸水の防止策として、流入しやすい低位部分や出入口に土嚢を積む作業が人手により行われていた。
【０００４】
【発明が解決しようとする課題】
このように土嚢を使用する場合には、その準備作業や設置作業が重労働となり、時間的な余裕も必要となる。
【０００５】
また出入口などでは、防水用の扉を設置することも考えられるが、扉の容積や重量も大きく、通常時に扉を保管する保管場所も大きく必要な場合が多く、また扉の開閉や移動に大きい動力が必要になる。
【０００６】
本発明は上記問題点を解決して、保管場所も不要で、迅速に防水扉の開閉が可能な防水扉装置を提供することを目的とする。
【０００７】
【課題を解決するための手段】
上記目的を達成するために請求項１記載の発明は、　出入口の両側に立設された左右一対の支柱体と、上下複数段に分割された分割扉からなる防水扉と、前記支柱体の対向面にそれぞれ形成されて前記分割扉の両端部を上方から挿脱可能な開閉ガイド部と、前記開閉ガイド部内で分割扉を上下方向に直列に並べて防水扉を形成し出入口を閉鎖する使用位置と、出入口の上方の収納部で前記分割扉を重ねて収納する収納位置との間で、前記分割扉をそれぞれ昇降駆動して出入口を開閉する扉開閉装置とを具備したものである。
【０００８】
上記構成によれば、扉開閉装置により、出入口の上方の収納部と開閉ガイド部の間で昇降駆動し、分割扉を上下方向に直列に並べて防水扉を形成し、出入口を閉鎖するように構成したので、防水扉の保管場所も不要で、収納部から下ろすだけで、迅速に防水扉の開閉が可能となり、出入口上方の空間を有効利用することができる。
【０００９】
請求項２記載の発明は、分割扉に、前面板と、前面板の上辺部および下辺部の一方に形成されて隣接する前面板が係合される重ね部と、上下に隣接する分割扉を互いに連結して使用位置以上の離間を規制する連結索とを設け、最上段の分割扉に、開閉ガイド部に設けられた係止部に下降を規制されるストッパを設け、最下段の分割扉が、扉開閉装置の水道水圧式の扉開閉シリンダにより押し引き駆動される索体に吊持されたものである。
【００１０】
上記構成によれば、索体を介して吊持された分割扉を引き下げて両端部を開閉ガイド部に嵌入させ、最上段の分割扉のストッパを係止部に係止させて下降を停止させ、下段側の分割扉を順次連結索の長さ分ずつ下降させて位置規制することにより、分割扉を上下に直列に並べて防水扉を形成し、防水扉を容易かつ迅速に使用位置に設置することができる。また分割扉の開閉駆動源に、商業電源に比べて非常時にも供給停止されることがない水道水圧式の扉開閉シリンダを使用したので、安定した開閉駆動が可能となり、また水道配管のある場所に容易に設置可能となる。
【００１１】
請求項３記載の発明は、各分割扉の両側縁部と下辺部にシール部材を設けるとともに、出入口の床面に受圧部材を設け、支柱体に、使用位置の分割扉を加圧して前記シール部材を圧縮し、分割扉間および分割扉の周辺部をシールする扉固定装置を設けたものである。
【００１２】
上記構成によれば、扉固定装置によりシール材を加圧して、防水扉自身と周辺部の隙間を効果的にシールすることができる。
請求項４記載の発明は、扉開閉装置に、重ねられた分割扉を水平姿勢として格納部に収納する扉回動収納機構を設けたものである。
【００１３】
上記構成によれば、出入口上方の収納空間の高さを低くすることができてコンパクト化を図ることができる。
【００１４】
【発明の実施の形態】
ここで、本発明に係る昇降式防水扉装置の実施の形態を図面に基づいて説明する。
【００１５】
図１〜図３に示すように、出入口１の両側の床面ＦＷには左右一対のサイドスタンド（支柱体）２が立設され、両サイドスタンド２には、止水面側から開閉ガイド溝（開閉ガイド部）３と扉固定装置４と扉開閉装置５の駆動部である２本の水道水圧式の主従扉開閉シリンダ６Ａ，６Ｂが装備されている。出入口１を開閉する防水扉７は、上下複数段（図では４段）に分割された分割扉１１〜１４からなり、扉開閉装置５の主従扉開閉シリンダ６Ａ，６Ｂにより、左右一対２組の主従ワイヤロープ（索体）８Ａ，８Ｂを介して、開閉ガイド溝３内で分割扉１１〜１４が上下方向に連続して配列されて出入口１を閉鎖する使用位置（図１）と、開閉ガイド溝３の上方の収納部９で分割扉１１〜１４が重ねられて収納され出入口１を開放する収納位置（図３）との間で昇降駆動される。
【００１６】
図５に示すように、前記各分割扉１１〜１４は、それぞれ前面板１１ａ〜１４ａと下ビーム部（最上段はチャンネル形断面）１１ｂ〜１４ｂとを有している。そして、最下段を除く分割扉１１〜１３の前面板１１ａ〜１３ａの下辺部（上辺部でも可能）には、係止凹部（重ね部）１１ｃ〜１３ｃがそれぞれ形成され、最上段を除く分割扉１２〜１４の前面板１２ａ〜１４ａ背面で上辺部に係止凹部１１ｃ〜１３ｃに押付けられる凸条シール材１２ｄ〜１４ｄがそれぞれ取り付けられている。また各分割扉１１〜１４の前面板１１ａ〜１４ａの前面で左右側辺部に側辺シール板１１ｅ〜１４ｅが取り付けられると共に、分割扉１１〜１３の係止凹部１１ｃ〜１３ｃと最下段分割扉１１の前面板１１ａ底辺部に底辺シール板１１ｆ〜１４ｆがそれぞれ取り付けられている。さらに最下段の分割扉１４の左右側部には、前面に主ワイヤロープ８Ａが連結される吊下ブラケット１５Ａが取り付けられ、下ビーム部１４ｂの背面側にＬ形の吊下アーム１５Ｂが取り付けられ、その先端部に従ワイヤロープ８Ｂが連結されている。
【００１７】
さらにまた最上段の分割扉１１の前面板１１ａは、上辺部の背面側にカバー部１１ｇが突設されており、このカバー部１１ｇの左右両縁部に、開閉ガイド溝３の開口部近傍に設けられた係止部３ａ（図３）に係止されるストッパ１６が突設されている。そして各分割扉１１〜１４の左右両側部には、上下に隣接する分割扉１１・１２，１２・１３，１３・１４の下ピーム部１１ｂ〜１４ｂ間を互いに連結する連結索１７Ａ〜１７Ｃが設けられて、分割扉１１〜１４が配列される使用位置以上に離間するのを防止するように構成されている。
【００１８】
前記扉固定装置４は、図１，図３，図４に示すように、左右のスタンド２のブラケットにそれぞれ上下揺動自在に支持された上下一対の揺動アーム２１Ａ，２１Ｂと、揺動アーム２１Ａ，２１Ｂの遊端部に連結されて防水扉７の背面側に移動自在に支持された加圧板２２と、ピストンロッドが下揺動アーム２１Ｂの中間部に連結された水道水圧式の扉固定シリンダ２３とで構成されている。したがって、扉固定シリンダ２３を進展して揺動アーム２１Ａ，２１Ｂを下方に揺動させることにより、加圧板２２を前方に突出移動させ、使用位置に配列された分割扉１１〜１４を前方に押圧する。これにより、開閉ガイド溝３の前部に形成された受圧部３ａに側辺シール板（シール部材）１１ｅ〜１４ｅを押付け、かつスタンド２間の床面ＦＷに取り付けられた受圧部材２ｂに底辺シール板（シール部材）１４ｆを押付け、防水扉７の左右側辺部と底辺部とをシールし、さらに各分割扉１１〜１４間で、連結シール板１１ｆ〜１３ｆ（シール部材）と凸条シール材１２ｄ〜１４ｄとを互いに押し付けることで、分割扉１１〜１４の連結部をシールすることができる。
【００１９】
前記扉開閉装置５は、左右のスタンド２にそれぞれ立設された一対の主従開閉用水道水圧シリンダ６Ａ，６Ｂと、これら水道水圧式の主従扉開閉シリンダ６Ａ，６Ｂにそれぞれ繰出し引き込み駆動される主従ワイヤロープ８Ａ，８Ｂと、出入口１の天井部ＣＷに両側にそれぞれ設置されて主従ワイヤロープ８Ａ，８Ｂを案内するシーブ群３１とで構成されている。すなわち、主ワイヤロープ８Ａは、基端部が天井部ＣＷにブラケット３１ｇを介して固定され、主扉開閉シリンダ６Ａのピストンロッドに設けられた可動シーブ３２ａからシーブ群３１の２つのガイドシーブ３１ａ，３１ｂを介して繰出され、先端部が最下段の分割扉１４の吊下ブラケット１５Ａに連結されている。また従ワイヤロープ８Ｂは、基端部が従扉開閉シリンダ６Ｂのピストンロッドに連結され、シーブ群３１の２つのガイドシーブ３１ｃ，３１ｄを介して主扉開閉シリンダ６Ａの可動シーブ３２ｂに巻回され、さらにシーブ群３１の２つのガイドシーブ３１ｅ，３１ｆを介して最下段の分割扉１４の吊下アーム１５Ｂに連結され、扉回動収納機構が構成されている。この主扉開閉シリンダ６Ａのピストンロッドには側壁面を転動する回り止めローラ３２ｃが設けられ、また可動シーブ３２ａ，３２ｂは、その移動距離に対して主従ワイヤロープ８Ａ，８Ｂを２倍の距離押し引きできる倍速機構が構成されている。
【００２０】
したがって、主扉開閉シリンダ６Ａを伸縮することにより、主従ワイヤロープ８Ａ，８Ｂを介して分割扉１１〜１４を昇降駆動させることができ、従扉開閉シリンダ６Ｂを伸縮することにより、従ワイヤロープ８Ｂを介して重ねられた分割扉１１〜１４（以下分割扉群７′という）を吊下ブラケット１５Ａを中心に昇降移動させる垂直姿勢と、収納部９で収納される水平姿勢との間で回動させる扉回動収納機構が構成されている。
【００２１】
上記構成において、日常は図３に示すように、分割扉群７′が水平姿勢で収納部９に収容されている。そして、集中豪雨などの警報や気象状況により、係員が操作スイッチ（図示せず）を入れて扉開閉装置５を起動すると、まず従扉開閉シリンダ６Ｂが進展されて従ワイヤロープ８Ｂが所定量繰出され、分割扉７′群が吊下ブラケット１５Ａを中心に９０°回動されて垂直姿勢にされる。次いで、主扉開閉シリンダ６Ａがゆっくりと進展されて主従ワイヤロープ８Ａ，８Ｂが同期して繰出され、分割扉群７′が下降される。
【００２２】
そして係員が分割扉群７′を誘導して開閉ガイド溝３に嵌入させると、最上段分割扉１１のストッパ１６が係止部３ａに掛止されて下降が規制され［図６（ａ）］、最上段以外の分割扉１２〜１４が開閉ガイド溝３に沿って下降される。そして分割連結索１７Ａが伸びきって次段の分割扉１２の下降が規制され最上段の分割扉１１の係止凹部１１ｃに凸条シール部１２ｄが係合される［図６（ｂ）］。さらに主従ワイヤロープ８Ａ，８Ｂが繰出されて残りの分割扉１３，１４が開閉ガイド溝３に沿って下降され、分割連結索１７Ｂが伸びきって次々段の分割扉１３の下降が規制され、次段分割扉１２の係止凹部１２ｃに次々段分割扉１３の凸条シール部１３ｄが係合される［図６（ｃ）］。さらに主従ワイヤロープ８Ａ，８Ｂが繰出されて最下段の分割扉１４が開閉ガイド溝３に沿って下降され、分割連結索１７Ｃが伸びきって最下段の分割扉１４が床面ＦＷに着地される。そして、次々段分割扉１３の係止凹部１３ｃに最下段分割扉１４の凸条シール部１４ｄが係合され分割扉１１〜１４が直列に並べられて防水扉７が形成される［図６（ｄ）］。そして主扉開閉シリンダ６Ａが停止される。
【００２３】
次いで扉固定装置４の扉固定シリンダ２３が進展されて揺動アーム２１Ａ，２１Ｂを下方に回動させ、加圧板２２が分割扉１１〜１４をそれぞれ前方に移動させて側辺シール板１１ｅ〜１４ｅを開閉ガイド溝３ａの重圧部２ａに押付け、［図６（ｅ）］、底辺シール板１４ｆを受圧部材２ａに押し付けて防水扉７の左右側辺部と底辺部とをシールし、さらに分割扉１１〜１４では、係止凹部１１ｃ〜１３ｃで連結シール板１１ｆ〜１３ｆと凸条シール材１２ｄ〜１４ｄとが互いに押し付けてられて、分割扉１１〜１４の連結部がシールされる。
【００２４】
以上により、出入口１を防水扉７により閉鎖してシールし、オーバーフローした水の浸入を確実に防止することができる。出入口１を開放する場合には、逆の手順で分割扉１１〜１４を吊り上げ、収納部９に収納する。
【００２５】
上記実施の形態によれば、主扉開閉シリンダ６Ａにより同期して主従ワイヤロープ８Ａ，８Ｂを押し引き駆動するので、分割扉群７′を安定して昇降移動させることができる。
【００２６】
また、開閉ガイド溝３の係止部３ａに係合される最上段の分割扉１１のストッパ１６と、隣接する分割扉１１〜１４を連結される連結索１７Ａ〜１７Ｃとを設け、最下段の分割扉１４を主従ワイヤロープ８Ａ，８Ｂにより昇降駆動するように構成したので、複雑な機構やガイド装置を必要とすることなく、重ねられた収納姿勢から直列に並設された使用姿勢に、また使用姿勢から収納姿勢に容易に変更することができ、装置をシンプルにできて製造コストを削減することができ、安定した開閉動作が期待できる。
【００２７】
さらに出入口１の上方空間に収納部９を設け、扉開閉装置５の従扉開閉シリンダ６Ｂと従ワイヤロープ８とにより分割扉群７′を垂直姿勢から水平姿勢に変向して収納するように構成したので、サイドスタンド２の周辺や床面ＦＷを改造したり手を加えることなく、省スペースで設置することができ、出入口１の空間を有効活用することができる。
【００２８】
また扉固定装置４により、直列に並設した分割扉１１〜１４を止水面がわに押圧することにより、防水扉７の水密効果を向上させることができる。
なお、図示していないが、収納部やシーブ群３１、主従ワイヤロープ８Ａ，８Ｂの巻張位置にカバーを設けてもよい。
【００２９】
【発明の効果】
以上に述べたごとく請求項１記載の発明によれば、扉開閉装置により、分割扉を出入口の上方の収納部と開閉ガイド部の間で昇降駆動し、分割扉を上下方向に直列に並べ防水扉を形成して出入口を閉鎖するように構成したので、防水扉の保管場所も不要で、収納部から下ろすだけで迅速に防水扉の開閉が可能となる。また防水扉を分割扉に分割して重ねることによりコンパクトにして、出入口上方の収納部に収納することができ、出入口空間の有効利用を図ることができる。
【００３０】
請求項２記載の発明によれば、分割扉を索体を介して吊り下ろし両端部を開閉ガイド部に嵌合させ、ストッパを係止部に係止させて最上段の分割扉の下降を停止させ、順次連結索の長さ分下降させて停止することにより、複数の分割扉を開閉ガイド部内で順次上下に直列に並べて配置し、防水扉を容易かつ迅速に形成することができる。また分割扉の開閉駆動源に、商業電源に比べて非常時にも供給停止されることがない水道水圧式の扉開閉シリンダを使用したので、安定した開閉駆動が可能となり、また水道配管のある場所に容易に設置可能となる。
【００３１】
請求項３記載の発明によれば、扉固定装置によりシール材を加圧して、分割扉同士および防水扉の両側部および底部を効果的にシールすることができる。
請求項４記載の発明によれば、出入口上方の収納空間の高さを低くすることができてコンパクト化を図ることができる。
【図面の簡単な説明】
【図１】本発明に係る昇降式防水扉装置の実施の形態を示し、防水扉の閉鎖状態の側面断面図である。
【図２】同防水扉の閉鎖状態を示す正面図である。
【図３】同防水扉の開放状態を示す側面断面図である。
【図４】図１に示すＡ−Ａ断面図である。
【図５】同分割扉を示す拡大側面断面図である。
【図６】（ａ）〜（ｅ）は同分割扉の開閉動作を示す側面断面図である。
【符号の説明】
１　　出入口
２　　サイドスタンド
２ａ　受圧部
２ｂ　受圧部材
３　　開閉ガイド溝
３ａ　係止部
４　　扉固定装置
５　　扉開閉装置
６Ａ　主扉開閉シリンダ
６Ｂ　従扉開閉シリンダ
７　　防水扉（７′　分割扉群）
８Ａ　主ワイヤロープ
８Ｂ　従ワイヤロープ
９　　収納部
１１〜１４　分割扉
１１ａ〜１４ａ　前面板
１１ｃ〜１３ｃ　係止凹部
１２ｄ〜１４ｄ　凸条シール材
１１ｅ〜１４ｅ　側辺シール部
１１ｆ〜１４ｆ　底辺シール部
１５Ａ　吊下ブラケット
１５Ｂ　吊下アーム
１７Ａ〜１７Ｃ　連結索
１６　　ストッパ
２２　　加圧板
２３　　扉固定シリンダ
３１　　シーブ群
３１ａ〜３１ｆ　ガイドシーブ
３２ａ，３２ｂ　可動シーブ
【図１】
2004076406.tif 000003
【図２】
2004076406.tif 000004
【図３】
2004076406.tif 000005
【図４】
2004076406.tif 000006
【図５】
2004076406.tif 000007
【図６】
2004076406.tif 000008